(57)【要約】【課題】用紙の自動選択や、用紙がなくなった場合の自動給紙口変更を行う場合に、従来機能よりもユーザの希望に沿った給紙を行うことを可能とした画像形成装置、制御方法、給紙口選択方法及び記憶媒体を提供する。【解決手段】画像形成装置は、原稿サイズを検知する原稿サイズ検知センサ１２７、給紙口の用紙の種類やフィニッシング装置で行うフィニッシングの種類を設定する操作部１２３、ＣＰＵ回路１２２を備える。ＣＰＵ回路１２２は、原稿サイズ検知センサ１２７で検知された原稿サイズ、操作部１２３で設定された用紙の種類、フィニッシングの種類に基づき、複数の給紙口から給紙可能な給紙口を選択する。【選択図】図１１
2011034100.tif 000002
【特許請求の範囲】
【請求項１】
複数の給紙手段と、
前記複数の給紙手段のうち何れかの給紙手段の用紙を用いて画像形成を実行する画像形成手段と、
前記画像形成手段により画像形成が実行された用紙に対してパンチ処理を実行する後処理手段と、
前記後処理手段が前記画像形成手段により画像形成が実行された用紙に対してパンチ処理を実行する場合に、前記画像形成手段が前記複数の給紙手段のうちプレパンチ紙を備える給紙手段の用紙を用いて画像形成を実行しないように制御する制御手段とを有することを特徴とする画像形成装置。
【請求項２】
前記制御手段は、前記後処理手段が前記画像形成手段により画像形成が実行された用紙に対してパンチ処理を実行する場合に、前記画像形成手段が前記複数の給紙手段のうちプレパンチ紙以外の種類の用紙を備える給紙手段の用紙を用いて画像形成を実行するように制御することを特徴とする請求項１に記載の画像形成装置。
【請求項３】
前記制御手段は、前記プレパンチ紙以外の種類の用紙を備える給紙手段が複数存在する場合に、前記画像形成手段が当該複数の給紙手段のうち前記画像形成手段への搬送パスが最も短い給紙手段の用紙を用いて画像形成を実行するように制御することを特徴とする請求項２に記載の画像形成装置。
【請求項４】
複数の給紙手段と、
前記複数の給紙手段のうち何れかの給紙手段の用紙を用いて画像形成を実行する画像形成手段と、
前記画像形成手段により画像形成が実行された用紙に対してパンチ処理を実行する後処理手段とを有する画像形成装置の制御方法であって、
前記後処理手段が前記画像形成手段により画像形成が実行された用紙に対してパンチ処理を実行する場合に、前記画像形成手段が前記複数の給紙手段のうちプレパンチ紙を備える給紙手段の用紙を用いて画像形成を実行しないように制御する制御工程を有することを特徴とする制御方法。
【請求項５】
複数の給紙手段と、
前記複数の給紙手段のうち何れかの給紙手段の用紙を用いて画像形成を実行する画像形成手段と、
前記画像形成手段により画像形成が実行された用紙に対してパンチ処理を実行する後処理手段とを有する画像形成装置に、
前記後処理手段が前記画像形成手段により画像形成が実行された用紙に対してパンチ処理を実行する場合に、前記画像形成手段が前記複数の給紙手段のうちプレパンチ紙を備える給紙手段の用紙を用いて画像形成を実行しないように制御する制御工程を実行させるためのコンピュータ読み取り可能なプログラムを記憶したコンピュータ読み取り可能な記憶媒体。
【請求項６】
複数の給紙手段と、
前記複数の給紙手段のうち何れかの給紙手段の用紙を用いて画像形成を実行する画像形成手段と、
前記画像形成手段により画像形成が実行された用紙に対してパンチ処理を実行する後処理手段と、
前記画像形成手段が前記複数の給紙手段のうちプレパンチ紙を備える給紙手段の用紙を用いて画像形成を実行する場合に、前記後処理手段が前記画像形成手段により画像形成が実行された用紙に対してパンチ処理を実行しないように制御する制御手段とを有することを特徴とする画像形成装置。
【請求項７】
複数の給紙手段と、
前記複数の給紙手段のうち何れかの給紙手段の用紙を用いて画像形成を実行する画像形成手段と、
前記画像形成手段により画像形成が実行された用紙に対してパンチ処理を実行する後処理手段とを有する画像形成装置の制御方法であって、
前記画像形成手段が前記複数の給紙手段のうちプレパンチ紙を備える給紙手段の用紙を用いて画像形成を実行する場合に、前記後処理手段が前記画像形成手段により画像形成が実行された用紙に対してパンチ処理を実行しないように制御する制御工程を有することを特徴とする制御方法。
【請求項８】
複数の給紙手段と、
前記複数の給紙手段のうち何れかの給紙手段の用紙を用いて画像形成を実行する画像形成手段と、
前記画像形成手段により画像形成が実行された用紙に対してパンチ処理を実行する後処理手段とを有する画像形成装置に、
前記画像形成手段が前記複数の給紙手段のうちプレパンチ紙を備える給紙手段の用紙を用いて画像形成を実行する場合に、前記後処理手段が前記画像形成手段により画像形成が実行された用紙に対してパンチ処理を実行しないように制御する制御工程を実行させるためのコンピュータ読み取り可能なプログラムを記憶したコンピュータ読み取り可能な記憶媒体。
【発明の詳細な説明】
【技術分野】
【０００１】
本発明は、画像形成装置、画像形成装置の制御方法、及び記憶媒体に関し、特に、ユーザの希望に沿った給紙を行う場合に好適な画像形成装置、画像形成装置の制御方法、及び記憶媒体に関する。
【背景技術】
【０００２】
近年、画像形成装置において、読み込んだ原稿のサイズを判断し、自動的に最適な給紙口を選択する自動用紙選択機能を有するデジタル画像形成装置が開発されている。デジタル画像形成装置におけるこの自動用紙選択機能では、複数の給紙口から最適な給紙口を選択する場合、デジタル画像形成装置に装備されている、給紙口を選択しない旨を設定するためのスイッチ（以下、「選択しないスイッチ」と略称する）がオンに設定されている時には、各給紙口を選択対象から外していた。
【０００３】
また、デジタル画像形成装置において、各給紙口に対して用紙の種類を設定することは、ユーザが給紙口に対し格納する所望の用紙の種類を操作部から入力し、当該給紙口から用紙を給紙して画像形成を行い出力する場合に、各給紙口にどのような種類の用紙が入っているかを確認するために必要であり、当該給紙口に不適切な用紙が入っている場合は、ユーザが適切な用紙が収納されている他の給紙口を選択し、選択した他の給紙口から用紙を給紙して画像形成を行い出力していた。
【発明の概要】
【発明が解決しようとする課題】
【０００４】
しかしながら、上述した従来のデジタル画像形成装置においては、用紙の種類が指定されているにも関わらず、ユーザが入力した用紙サイズと合致しているサイズの用紙を給紙する給紙口があれば、その給紙口を自動的に選択して給紙していた。その給紙口を選択対象から外すには、上記の「選択しないスイッチ」をオン操作するしかなかった。また、コピーするモードが異なる時に給紙を止めるには、スイッチの再設定をしなければならなかった。
【０００５】
例えば、給紙口を３個有するデジタル複合機（画像読取機能、画像形成機能、ファクシミリ機能等の複数の機能を備えた装置）において、給紙口１に色紙のプレパンチ紙、給紙口２に再生紙、給紙口３に普通紙が入っている場合に、給紙口を自動的に選択するモードでは、特に用紙の種類を考慮せず、ユーザが入力した用紙サイズと合致するサイズの用紙を給紙する給紙口を自動的に選択していた。例えば、すべての給紙口の用紙サイズがＡ４サイズで、ユーザが入力した用紙がＡ４サイズの場合には、ユーザが普通紙にコピーしたいにも関わらず、プレパンチ紙を給紙する給紙口１を自動的に選択してしまうという問題点があった。
【０００６】
本発明は、上述した点に鑑みなされたものであり、用紙の自動選択や、用紙がなくなった場合の自動給紙口変更を行う場合に、従来機能よりもユーザの希望に沿った給紙を行うことを可能とした画像形成装置、制御方法、給紙口選択方法及び記憶媒体を提供することを目的とする。
【課題を解決するための手段】
【０００７】
上記目的を達成するために、本発明は、複数の給紙手段と、前記複数の給紙手段のうち何れかの給紙手段の用紙を用いて画像形成を実行する画像形成手段と、前記画像形成手段により画像形成が実行された用紙に対してパンチ処理を実行する後処理手段と、前記後処理手段が前記画像形成手段により画像形成が実行された用紙に対してパンチ処理を実行する場合に、前記画像形成手段が前記複数の給紙手段のうちプレパンチ紙を備える給紙手段の用紙を用いて画像形成を実行しないように制御する制御手段とを有することを特徴とする。
【発明の効果】
【０００８】
本発明によれば、用紙の自動選択や、用紙がなくなった場合の自動給紙口変更を行う場合に、従来機能よりもユーザの希望にそった給紙を行うことが可能となる。更に、コピーモードにより自動用紙選択をモードごとに設定しなおさなければならなかった不具合を解消することが可能となり、コピーモードを気にせず、自動用紙選択でコピーすることができる。
【図面の簡単な説明】
【０００９】
【図１】本発明の第１の実施の形態に係る画像形成装置のリーダ部の信号処理構成を示すブロック図である。
【図２】本発明の第１の実施の形態に係る画像形成装置の全体構成を示す構成図である。
【図３】本発明の第１の実施の形態に係る画像形成装置のＣＰＵ回路部を中心とした構成を示すブロック図である。
【図４】本発明の第１の実施の形態に係る画像形成装置の操作部の構成を示す正面図である。
【図５】本発明の第１の実施の形態に係る画像形成装置における用紙の種類の設定を示す説明図である。
【図６】本発明の第１の実施の形態に係る画像形成装置における給紙口選択処理を示すフローチャートである。
【図７】本発明の第１の実施の形態に係る画像形成装置における給紙口選択処理を示すフローチャートである。
【図８】本発明の第１の実施の形態に係る画像形成装置における紙なしオートカセットチェンジ時の給紙口選択処理を示すフローチャートである。
【図９】本発明の第１の実施の形態に係る画像形成装置における紙なしオートカセットチェンジ時の給紙口選択処理を示すフローチャートである。
【図１０】本発明の第１の実施の形態に係る画像形成装置における紙なしオートカセットチェンジ時の給紙口選択処理を示すフローチャートである。
【図１１】本発明の第２の実施の形態に係る画像形成装置におけるパンチ穴あけ時の給紙口選択処理を示すフローチャートである。
【図１２】本発明の第２の実施の形態に係る画像形成装置におけるパンチ穴あけ時の給紙口選択処理を示すフローチャートである。
【図１３】本発明の第２の実施の形態に係る画像形成装置におけるパンチ穴あけ時の給紙口選択処理を示すフローチャートである。
【図１４】本発明の第３の実施の形態に係る画像形成装置における給紙口選択処理を示すフローチャートである。
【図１５】本発明の第３の実施の形態に係る画像形成装置における給紙口選択処理を示すフローチャートである。
【図１６】本発明の第３の実施の形態に係る画像形成装置における給紙口選択処理を示すフローチャートである。
【図１７】本発明のプログラム及び関連データを記憶した記憶媒体の記憶内容の構成例を示す説明図である。
【図１８】本発明のプログラム及び関連データが記憶媒体から装置に供給される概念例を示す説明図である。
【発明を実施するための形態】
【００１０】
以下、本発明の実施の形態を図面に基づいて詳細に説明する。
【００１１】
［第１の実施の形態］
図２は本発明の第１の実施の形態に係る画像形成装置（複写機）の内部構造を示す構成図である。本発明の第１の実施の形態に係る画像形成装置は、リーダ部１と、プリンタ部２と、ソータ２３０と、パンチユニット２５０を備えている。更に、リーダ部１は、原稿給送装置１０１、原稿台ガラス面１０２、ランプ１０３・ミラー１０５を有するスキャナユニット１０４、ミラー１０６、ミラー１０７、レンズ１０８、ＣＣＤイメージセンサ部（以下ＣＣＤと略称）１０９を備え、プリンタ部２は、露光制御部２０１、ポリゴンミラー２０７、感光体２１１、現像器２１２、転写部２１６、定着部２１７、排紙部２１８、排出ローラ２１９、搬送方向切り替え部材２２０、再給紙用用紙積載部２２１、用紙積載部２１４、２１５、２２５、２２６を備え、ソータ部２３０は、ビン２４１、２４２等を備えている。
【００１２】
原稿給送装置１０１上に積載された原稿は、１枚づつ順次原稿台ガラス面１０２上に搬送される。原稿がガラス面１０２の所定位置へ搬送されると、スキャナ部のランプ１０３が点灯し、かつスキャナユニット１０４が移動して原稿を照射する。原稿の反射光は、ミラー１０５、１０６、１０７、レンズ１０８を介してＣＣＤ１０９に入力される。尚、プリンタ部２の詳細については後述する。
【００１３】
また、ソータ２３０は、入口ローラ２３１、搬送パス切替部材２３２、排紙ローラ２３３、縦搬送パス２３４、サドルスタッカ２３５、サドル位置決めローラ２３６、サドル突き当てローラ２３７、サドル突き当て部材２３９、サドル位置決め部材２４０を備えている。
【００１４】
図１は本発明の第１の実施の形態に係る画像形成装置のリーダ部１の信号処理構成を示すブロック図である。本発明の第１の実施の形態に係る画像形成装置のリーダ部１は、ＣＣＤ１０９、増幅器１１０Ｒ、１１０Ｇ、１１０Ｂ、Ａ／Ｄ変換器１１１、シェーディング回路１１２、Ｙ信号生成・色検出回路１１３、変倍・リピート回路１１４、輪郭・エッジ強調回路１１５、マーカエリア判定・輪郭生成回路１１６、パターン化・太らせ・マスキング・トリミング回路１１７、画像セレクタ回路１１８、レーザドライバ回路１１９、画像メモリ１２０、コネクタ１２１、ＲＯＭ１２５・ＲＡＭ１２６を有するＣＰＵ回路１２２、操作部１２３、画像データ減少回路１２４、原稿サイズ検知センサ１２７を備えている。
【００１５】
上記構成を動作と共に詳述すると、ＣＣＤ１０９に照射された原稿の反射光は、ここで光電変換され、レッド、グリーン、ブルーの各色の電気信号に変換される。ＣＣＤ１０９からのカラー情報は、次の増幅器１１０Ｒ、１１０Ｇ、１１０Ｂにおいて、Ａ／Ｄ変換器１１１の入力信号レベルに合わせて増幅される。Ａ／Ｄ変換器１１１からの出力信号は、シェーディング回路１１２に入力され、ここでランプ１０３の配光ムラや、ＣＣＤ１０９の感度ムラが補正される。シェーディング回路１１２からの信号は、Ｙ信号・色検出回路１１３及び外部Ｉ／Ｆ切り替え回路（図示略）に入力される。
【００１６】
Ｙ信号生成・色検出回路１１３は、シェーディング回路１１２からの信号を下記の式で演算を行いＹ信号を得るＹ信号生成回路を有する。
【００１７】
Ｙ＝０．３Ｒ＋０．６Ｇ＋０．１Ｂ
更に、Ｙ信号生成・色検出回路１１３は、Ｒ，Ｇ，Ｂの信号から７つの色に分離し各色に対する信号を出力する色検出回路を有する。Ｙ信号生成・色検出回路１１３からの出力信号は、変倍・リピート回路１１４に入力される。
【００１８】
スキャナユニット１０４の走査スピードにより副走査方向の変倍を、変倍回路・リピート回路１１４により主走査方向の変倍を行う。また、変倍・リピート回路１１４により複数の同一画像を出力することが可能である。輪郭・エッジ強調回路１１５は、変倍・リピート回路１１４からの信号の高周波成分を強調することによりエッジ強調および輪郭情報を得る。輪郭・エッジ強調回路１１５からの信号は、マーカエリア判定・輪郭生成回路１１６とパターン化・太らせ・マスキング・トリミング回路１１７に入力される。
【００１９】
マーカエリア判定・輪郭生成回路１１６は、原稿上の指定された色のマーカペンで書かれた部分を読み取りマーカの輪郭情報を生成し、次のパターン化・太らせ・マスキング・トリミング回路１１７でこの輪郭情報から太らせやマスキングやトリミングを行う。また、Ｙ信号生成・色検出回路１１３からの色検出信号によりパターン化を行う。
【００２０】
パターン化・太らせ・マスキング・トリミング回路１１７からの出力信号は、プリンタ部２に出力する場合は、後述する画像データセレクタ１１８により選択され、レーザドライバ回路１１９に入力され各種処理された信号を、レーザを駆動するための信号に変換する。レーザドライバ回路１１９の出力信号は、プリンタ部２に入力され可視像として画像形成が行われる。
【００２１】
画像メモリ１２０は、画像データセレクタ１１８により送られた画像データをＣＰＵ回路部１２２の指示により画像メモリ１２０の指定位置に後述する方法で、記憶及び読み出しを行い、回転処理、画像をメモリ上で合成する機能を行っている。
【００２２】
ＣＰＵ回路１２２は、リーダ部１を制御するもので、制御プログラム、エラー処理プログラムなどを記憶するＲＯＭ１２５と、各種プログラムのワークエリアなどのために利用されるＲＡＭ１２６と、各種タイマ制御部等から構成される。原稿サイズ検知センサ１２７は、原稿台ガラス面１０２上に配置されており、原稿のサイズを検知し、検知信号をＣＰＵ１２２へ出力する。ＣＰＵ回路１２２は、原稿サイズ検知センサ１２７の検知信号に基づき原稿サイズを判断する。
【００２３】
操作部１２３は、リーダ部１の画像処理に対する画像編集内容、コピー枚数等の画像動作を指示する各種キー群と、操作時の内容を表示する表示部等を有している。
【００２４】
尚、本実施形態の用紙積載部２１４、２１５、２２５、２２６が特許請求の範囲の給紙手段に、感光体２１１、現像器２１２、転写部２１６、定着部２１７等が画像形成手段に、ＣＰＵ回路部１２２が制御手段に、パンチユニット２５０が後処理手段に対応する。
【００２５】
図４は本実施形態の操作部１２３の詳細を示したものである。この操作部１２３には、各種キーと、液晶表示装置からなるドットマトリックスで構成される液晶表示部４３８とが配置されている。
【００２６】
液晶表示部４３８は、装置の状態、コピー枚数、倍率、選択用紙及び各種操作画面を表示し、コントロールキー４３１〜４３５等により操作される。スタートキー４０３は、コピーをスタートするためのキーであり、復帰キー４０２は、設定モードを標準状態に復帰するためのキーである。キー群４０５は、コピー枚数、ズーム倍率等を入力させる０〜９までのテンキーとその入力をその入力をクリアするためのクリアキーである。濃度キー４０７は、濃度をアップダウンするためのキーであり、これにより調整される濃度は、液晶表示部４３８に表示される。
【００２７】
キー群４３７は、自動濃度調整機能をオン／オフするためのキーとその表示部であり、キー４０６は、給紙口及びオート用紙選択を選択するキーであり、この選択状態は、液晶表示部２３８に表示される。キー４０８、キー４１０、はそれぞれ等倍、定形縮小／拡大を設定するキーである。キー４１８と表示部４１７は、オート変倍モードを設定するためのキーであり、この選択状態は液晶表示部４３８にも表示される。キー４４０は、ユーザの個別に設定を可能にするユーザモードキーであり、このユーザモードキー４４０を押下することにより、後述する用紙種類の設定を行う。
【００２８】
次に、上記図２を参照しながらプリンタ部２の構成及び動作について説明する。プリンタ部２に入力された画像信号は、露光制御部２０１にて変調された光信号に変換されて感光体２１１を照射する。照射光によって感光体２１１上に作られた潜像は、現像器２１２によって現像される。上記現像された像の先端とタイミングを併せて、用紙積載部（給紙口）２１４もしくは２１５より用紙が搬送され、転写部２１６において、上記現像された像が転写される。
【００２９】
転写された像は定着部２１７にて用紙に定着された後、排紙部２１８より装置外部に排出される。排紙部２０８から出力された用紙は、パンチユニット２５０を通り、パンチ機能が働いている場合は、パンチされ、ソータ２３０に渡され、ソータ２３０でソート機能が働いている場合には、各ビンに、またはソート機能が働いていない場合には、ソータの最上位のビンに排出される。
【００３０】
続いて、順次読み込む画像を１枚の出力用紙の両面に出力する方法について説明する。定着部２１７で定着された出力用紙を、一度、排紙部２１８まで搬送後、用紙の搬送向きを反転して搬送方向切り替え部材２２０を介して再給紙用用紙積載部２２１に搬送する。次の原稿が準備されると、上記プロセスと同様にして原稿画像が読み取られるが、用紙については再給紙用用紙積載部２２１より給紙されるので、同一出力紙の表面、裏面に２枚の原稿画像を出力することができる。
【００３１】
図５に従い、用紙の種類の設定方法について説明する。給紙口１にＢ４サイズ、給紙口２にＡ４サイズ、給紙口３にＡ４サイズ、給紙口４にＡ４サイズの用紙が格納されているとする。給紙口１は用紙積載部２１４、給紙口２は用紙積載部２１５、給紙口３は用紙積載部２２５、給紙口４は用紙積載部２２６に対応している。操作部１２３のユーザモードキー４４０を押下すると、図５（１）に示される操作画面が液晶表示部４３８に表示される。キー７０１は機械の動作に対し共通の機能の設定を行う共通機能設定キーである。キー７０３はコピーモードを設定するキーであり、オート回転のオン／オフなどを設定する。キー７０２は調整クリーニングに対するキーであり、ズームの調整などを設定する。キー７０４はタイマ設定に関するキーであり、このキーを押下することで、日付時刻などを設定することができる。
【００３２】
キー７０１を押下すると 図５（２）に示される操作画面が表示される。このキー７０１−１が用紙の種類を設定するキーであり、これを押下すると、図５（３）に示される操作画面が表示される。この画面上の７０１−２〜７０１−５までのキーを押下することで、図５（４）の操作画面が表示され、ユーザは各々の給紙口に対する用紙の種類を設定することができる。このように、図５（３）、（４）等に示す操作画面上において、ユーザが、各給紙口毎に夫々、用紙の種類を指定する操作を予め行っておくことで、画像形成装置は用紙の種類情報を取得し、用紙の種類を各給紙口毎に判別することができる。
【００３３】
尚、不図示の反射型光学式センサ等を、各給紙口毎に夫々設け、当該センサにより検出した反射率に応じて用紙の種類を判別する等、センサを用いて用紙の種類を判別するような構成でもよい。また、用紙のサイズ情報に関しても、操作部からのユーザの入力情報によって取得してもよいし、センサによるサイズ検出により取得するような構成でもよい。
【００３４】
本実施形態では、ある種類、あるサイズの用紙を用いて画像形成することになっている場合に、画像形成開始時にその種類の用紙が無いとき、或いは、画像形成動作中にその種類の用紙がなくなったとき、その種類とは異なる種類の、同一サイズの用紙を所定の優先順位に従って選択し、選択された用紙に対して画像形成を行う。
【００３５】
図５（３）〜図５（６）に示す操作画面によりユーザにより設定された各給紙口の用紙種類情報、用紙種類の優先順位情報、及びオートカセットチェンジに関する設定情報はＣＰＵ回路部１２２によりＲＡＭ１２６に記憶される。不図示の画面により設定された用紙サイズ情報もＣＰＵ回路部１２２によりＲＡＭ１２６に記憶される。ＣＰＵ回路部１２２はＲＡＭ１２６からこれらの情報を適宜読み出す。
【００３６】
これにより、画像形成装置は、どの給紙口に、どのような種類の、どのようなサイズの用紙が収納されているのかを認識できると共に、画像形成に用いるべき用紙（給紙口）の優先順位等も認識することができる。
【００３７】
尚、図５（４）に示す操作画面上に表示されている「厚紙」とは、例えば、製本のための表紙や合紙等に使用される、通常の用紙よりも厚みをもった腰の強い用紙であり、「第二原図紙」とは、設計図面用の用紙等の通常の用紙よりも厚さの薄い腰の弱い用紙であり、「パンチ紙」とは、プレパンチ紙のことを意味し、予め所定の位置に穴が空けられているためパンチユニット２５０にてパンチ処理を必要としない用紙であり、「ラベル紙」とは、シール用の用紙であり、「レターヘッド紙」とは、例えば、会社のロゴ等、予め所定の位置に画像が形成されている用紙である。
【００３８】
今、給紙口１から給紙する用紙を普通紙に設定する。同様にして、給紙口２から給紙する用紙を色紙に、給紙口３から給紙する用紙を再生紙に、給紙口４から給紙する用紙を普通紙に設定する。
【００３９】
また、図５（２）に示すキー７０１−６は、用紙種類の優先順位を設定するキーであり、これを押下すると、図５（５）に示される操作画面が表示される。この画面において各用紙の種類の自動給紙選択における優先順位を設定することができる。今、テンキーにより、普通紙の優先順位を１、再生紙の優先順位を２、色紙の優先順位を３、厚紙の優先順位を４と設定する。
【００４０】
また、図５（２）に示すキー７０１−７は、画像形成中に、給紙を行っている給紙口に用紙がなくなった場合に給紙口変更（オートカセットチェンジ）を行うかどうかを設定するキーであり、これを押下すると、図５（６）に示される操作画面が表示される。この画面は、「異なる用紙タイプへのオートカセットチェンジ」というキー７０１−１０を含み、これをオン状態にすることにより、図５（５）で設定された優先順位に応じて給紙口を自動的に選択する。
【００４１】
図１８は本発明の各実施の形態に係るプログラム及び関連データが記憶媒体から装置に供給される概念例を示す説明図である。プログラム及び関連データは、フロッピー（登録商標）ディスクやＣＤ−ＲＯＭ等の記憶媒体１７１を装置１７２に装備された記憶媒体ドライブ１７３の挿入口に挿入することで供給される。その後、プログラム及び関連データを記憶媒体１７１から一旦ハードディスクにインストールしハードディスクからＲＡＭにロードするか、或いはハードディスクにインストールせずに直接ＲＡＭにロードすることで、プログラム及び関連データを実行することが可能となる。
【００４２】
この場合、本発明の各実施の形態に係る画像形成装置においてプログラムを実行する場合は、例えば上記図１８に示したような手順で画像形成装置にプログラム及び関連データを供給するか、或いは画像形成装置に予めプログラム及び関連データを格納しておくことで、プログラム実行が可能となる。
【００４３】
図１７は本発明の各実施の形態に係るプログラム及び関連データを記憶した記憶媒体の記憶内容の構成例を示す説明図である。記憶媒体は、例えばボリューム情報１６１、ディレクトリ情報１６２、プログラム実行ファイル１６３、プログラム関連データファイル１６４等の記憶内容で構成される。プログラムは、後述のフローチャートに基づきプログラムコード化されたものである。
【００４４】
次に、上記の如く構成された本発明の第１の実施形態に係る画像形成装置において、用紙の種類の設定を用いた動作を図６〜図１０のフローチャートを参照しながら詳細に説明する。これらの処理は、画像形成装置のＣＰＵ回路部１２２がＲＯＭ１２５に記憶されているプログラムを読み出し実行することにより行われる 。
【００４５】
先ず、図６〜図７を用いて、給紙口選択について説明する。先ず、図２に示した原稿給送装置１０１の原稿トレー上に原稿があるかどうかを該原稿トレー上に設けられた原稿検知センサ１３０により判断する（ステップＳ８０１）。この時、原稿給送装置１０１の原稿トレー上に原稿がない場合は、原稿台ガラス面１０２の下方に配設されている原稿サイズ検知センサ１２７により検知された原稿台ガラス面１０２上の原稿のサイズを参照する（ステップＳ８０３）。原稿給送装置１０１の原稿トレー上に原稿がある場合は、原稿給送装置１０１により原稿台ガラス面１０２上へ原稿を給送し（ステップＳ８０２）、原稿ガイド１３５の幅方向の位置検知結果と、原稿を原稿台ガラス面１０２上に搬送したときのセンサ１４０による長さ検知結果とに基づいて、原稿サイズを検知する（ステップＳ８０４）。今、原稿ガイド幅が２９７ｍｍで、原稿搬送長が２１０ｍｍであるので、原稿サイズがＡ４であると検知する。
【００４６】
尚、原稿サイズデータの取得方法として、操作部１２３からのユーザによる入力操作によって取得するような構成でもよい。
【００４７】
次に、Ａ４サイズの原稿に最適な用紙を選択する。給紙口１〜４の用紙サイズが、それぞれＢ４、Ａ４、Ａ４、Ａ４であるので（ステップＳ８０５）、先ず、入力原稿画像のサイズに応じたサイズの用紙が収納されている、給紙口２、給紙口３、給紙口４が自動用紙選択の対象、即ち給紙の選択対象（候補）となる。この中で実際に用紙があるかどうかをチェックする（ステップＳ８０６）。各給紙口における用紙の有無は不図示のセンサにより検出する。本例では、各給紙口とも用紙が入っているのですべての給紙口を給紙選択対象と判断する（ステップＳ８０７）。用紙がなかった場合は、給紙選択対象から除外される（ステップＳ８０８）。
【００４８】
次に、上記各給紙口について上記ステップＳ８０６のチェックを終了したか否かを判定し（ステップＳ８０９）、上記チェックを終了した場合は、給紙対象となる給紙口があるか否かを判定する（ステップＳ８１０）。ここで、もし給紙対象となる給紙口がない場合は、操作部１２３に最適サイズなしを表示し、動作を終了する（ステップＳ８１８）。
【００４９】
次に、用紙の種類として、給紙口２、給紙口３、給紙口４の用紙の種類をチェックする。本例では、給紙口２の用紙の種類が色紙、給紙口３の用紙の種類が再生紙、給紙口４の用紙の種類が普通紙である（ステップＳ８１１）。この時、各給紙口の用紙種類が、予め定められている禁止条件と一致するか否かを判断する（ステップＳ８１２）。予め定められている禁止条件とは、ＯＨＰ用紙、第二原図紙、厚紙の用紙種類は選択の対象としないという条件であり、当該例では各給紙口はこの条件にいずれも合致しない。従って、各給紙口は給紙選択対象とされる（ステップＳ８１３）。一方、上記禁止条件に合致した場合は、給紙選択対象から除外される（ステップＳ８１４）。
【００５０】
次に、上記各給紙口について上記ステップＳ８１２の禁止条件との一致の有無を調べる処理が終了したか否かを判定し（ステップＳ８１５）、上記処理が終了した場合は、給紙対象となる給紙口があるか否かを判定する（ステップＳ８１６）。ここで、給紙対象となる給紙口がない場合は、操作部１２３に最適サイズなしを表示し、動作を終了する（ステップＳ８１８）。
【００５１】
従って、この例では、給紙口２、給紙口３、給紙口４が、給紙対象の給紙口となる。次に、これら給紙対象の各給紙口の用紙の種類に設定された優先順位をチェックする（ステップＳ８１７）。今、給紙口２の用紙の種類が色紙であるため優先順位３、給紙口３の用紙の種類が再生紙であるため優先順位２、給紙口４の用紙の種類が普通紙であるため優先順位１である。この中で優先順位が一番高い給紙口４を最適な給紙口として選出し（ステップＳ８１９）、当該給紙口の用紙を使用してコピーを開始する（ステップＳ８２０）。
【００５２】
次に、図８〜図１０を用いて、最適として選択した給紙口が紙なしになったときにおける給紙口の自動切り換えについて説明する。この例では、給紙口１にはＢ４サイズの用紙が、給紙口２にはＡ４サイズの用紙が、給紙口３にはＡ４サイズの用紙が、給紙口４にはＡ４サイズの用紙が夫々入っていたとする。今、操作部１２３において各給紙口の用紙の種類を、給紙口１は「普通紙」、給紙口２は「色紙」、給紙口３は「普通紙」、給紙口４は「普通紙」と設定したとする。そして、Ａ４サイズの原稿を１００枚コピーするとし、給紙口２に１００枚、給紙口３に２０枚、給紙口４に５０枚の用紙が入っている状態でコピーを始めるとする。
【００５３】
先ず、上記図１に示した原稿給送装置１０１の原稿台トレー上に設けられた原稿検知センサ１３０により原稿があるかどうか判断する。この時、原稿台トレー上に原稿がない場合は、原稿台ガラス１０２面の下方に配設されている原稿サイズ検知センサ１２７で検知された原稿サイズを参照する。原稿給紙装装置１０１に原稿がある場合は、原稿のガイド幅と、原稿を原稿台ガラス面１０２上に搬送した長さとに基づき、原稿サイズを検知する。今、原稿のガイド幅が２９７ｍｍで、原稿を搬送した長さが２１０ｍｍであるので、原稿サイズがＡ４であると検知する（ステップＳ９０１）。
【００５４】
次に、Ａ４サイズの原稿に最適な用紙（つまり、給紙部）を選択する。給紙口１〜４の用紙サイズが、それぞれＢ４、Ａ４、Ａ４、Ａ４であるので（ステップＳ９０２）、先ず、給紙口２、給紙口３、給紙口４が自動用紙選択の対象、即ち給紙の選択対象となる。この中で実際に用紙があるかどうかをチェックする（ステップＳ９０３）。本例では、各給紙口とも用紙が入っているのですべての給紙口を給紙選択対象と判断する（ステップＳ９０４）。用紙がなかった場合は、給紙選択対象から除外される（ステップＳ９０５）。
【００５５】
次に、上記各給紙口について上記ステップＳ９０３のチェックが終了したか否かを判定し（ステップＳ９０６）、上記チェックを終了した場合は、給紙選択対象の給紙口があるか否かを判定する（ステップＳ９０７）。ここで、給紙対象の給紙口がない場合は、操作部１２３に最適サイズなしの表示を行い、動作を中止する（ステップＳ９２２）。
【００５６】
次に、用紙の種類として、給紙口２、給紙口３、給紙口４の用紙の種類をチェックする（ステップＳ９０８）。給紙口２の用紙の種類が色紙、給紙口３の用紙の種類が普通紙、給紙口４の用紙の種類が普通紙である。この時、各給紙口の用紙種類が、予め定められている禁止条件と一致するか判断する（ステップＳ９０９）。予め定められている禁止条件とは、ＯＨＰ用紙、第二原図紙、厚紙の用紙種類は選択の対象としないという条件であり、各給紙口はこの禁止条件にいずれも合致しない。従って、各給紙口を選択対象とする（ステップＳ９１０）。禁止条件に合致した場合は、選択対象から除外される（ステップＳ９１１）。
【００５７】
次に、上記各給紙口について上記ステップＳ９０９の禁止条件との一致の有無を調べる処理が終了したか否かを判定し（ステップＳ９１２）、上記処理が終了した場合は、給紙対象の給紙口があるか否かを判定する（ステップＳ９１３）。ここで、給紙対象の給紙口がない場合は、操作部１２３に最適サイズがないことを表示する（ステップＳ９２２）。
【００５８】
従って、給紙口２、給紙口３、給紙口４を給紙選択対象の給紙口とする。次に、各給紙口の用紙の種類に設定された優先順位をチェックする（ステップＳ９１４）。今、給紙口２の用紙の種類が色紙であるため優先順位３、給紙口３の用紙の種類が普通紙であるため優先順位１、給紙口４の用紙の種類が普通紙であるため優先順位１である。この中で優先順位が一番高い給紙口は、給紙口３と給紙口４である。この給紙口３、給紙口４の中で給紙口３の方が、上記図２に示すように搬送パスが短いため（つまり、画像形成部により近いため）、生産性を考慮し、最適な給紙口として給紙口３を選出し（ステップＳ９１５）、当該ユニットの用紙を用いてコピーを開始する（ステップＳ９１６）。この時、ＣＰＵ回路部１２２は、使用すべき給紙口、用紙サイズ、用紙種類はそれぞれ給紙口３、Ａ４サイズ、普通紙としてＲＡＭ１２６に記憶する。
【００５９】
給紙口３から用紙（普通紙）を給紙してコピーを開始し、給紙口３から２０枚出力する。２０枚出力後、給紙口には用紙がなくなったため（ステップＳ９１８でＹＥＳ）、他の給紙口で給紙できる給紙口がないか探す（ステップＳ９１９）。Ａ４サイズで用紙の入っている給紙口は給紙口２と給紙口４である。この時、給紙口２の用紙の種類は色紙、給紙口４は普通紙であり、現在給紙している用紙の種類は普通紙であるので、給紙口２の方が画像形成部に近いが、給紙口４を選択し、給紙を続ける（ステップＳ９２０）。給紙口４から５０枚出力後、給紙口４も用紙がなくなる。
【００６０】
次に、Ａ４サイズの用紙を給紙できる残りの給紙口は２である。現在給紙している用紙種類は普通紙であるので、給紙口２の用紙種類とは合致しない。そのため、操作部１２３で設定された“異なる用紙タイプのオートカセットチェンジ（ＡＣＣ）”のスイッチを確認する（ステップＳ９２１）。このスイッチがオンになっている場合は給紙口２に変更し、給紙を続行する（ステップＳ９２０）。このスイッチがオフの場合は給紙動作を止め、操作部１２３に用紙がなくなった旨のメッセージを表示する。
【００６１】
このように、例えば、ある種類の、あるサイズの用紙を用いて画像形成している最中に上記用紙の紙無しが発生した場合（または、画像形成開始時に、既に、当該種類の用紙が無い状態の場合）において、上記用紙とは種類は異なるが、同一サイズの用紙が存在するような場合、即ち、画像形成するのに特に支障の無い（例えば、出力結果の画像欠けや、ユーザの指示とは無関係に画像が縮小されてしまう等のトラブルが発生することの無い）用紙の候補が存在する場合は、当該用紙を用いて画像形成を続行（または、開始）することができる。尚且つ、このような用紙の代替出力処理を行ってもよいか否か、ユーザの意思を反映させるべく、ＣＰＵ回路部１２２のＣＰＵは、上記スイッチの設定状況をチェックし、当該確認結果に応じて、上記処理を禁止したり、許可するよう制御している。
【００６２】
以上説明したように、本発明の第１の実施の形態によれば、原稿を走査し画像データに変換するリーダ部１と、画像データに基づき用紙上に印字を行うプリンタ部２と、用紙を収納し給紙する複数の給紙口２１４、２１５、２２５，２２６とを備えた画像形成装置において、原稿サイズを検知する原稿サイズ検知センサ１２７と、給紙口の用紙の種類を入力する操作部１２３と、原稿サイズ検知センサ１２７で検知された原稿サイズ、操作部１２３で入力された用紙の種類に基づき、複数の給紙口から給紙可能な給紙口を選択するＣＰＵ回路１２２とを有するため、用紙の種類を設定することにより、用紙の自動選択や、用紙がなくなった場合の自動給紙口変更を行う場合に、従来機能よりもユーザの希望にそった給紙を行うことが可能となる。更に、コピーモードにより自動用紙選択をモードごとに設定しなおさなければならなかった不具合を解消することが可能となり、コピーモードを気にせず、自動用紙選択でコピーすることができる。
【００６３】
［第２の実施の形態］
本発明の第２の実施の形態に係る画像形成装置は、上記第１の実施の形態と同様に、リーダ部１と、プリンタ部２と、ソータ２３０と、パンチユニット２５０を備えている。更に、リーダ部１は、原稿給送装置１０１、原稿台ガラス面１０２、ランプ１０３・ミラー１０４を有するスキャナユニット１０４、ミラー１０６、ミラー１０７、レンズ１０８、ＣＣＤ１０９を備え、プリンタ部２は、露光制御部２０１、ポリゴンミラー２０７、感光体２１１、現像器２１２、転写部２１６、定着部２１７、排紙部２１８、排出ローラ２１９、搬送方向切り替え部材２２０、再給紙用用紙積載部２２１、用紙積載部２１４、２１５、２２５、２２６を備え、ソータ部２３０は、ビン２４１、２４２等を備えている（上記図２参照）。各部の詳細は上述したので説明を省略する。
【００６４】
また、本発明の第２の実施の形態に係る画像形成装置のリーダ部１は、上記第１の実施の形態と同様に、ＣＣＤ１０９、増幅器１１０Ｒ、１１０Ｇ、１１０Ｂ、Ａ／Ｄ変換器１１１、シェーディグ回路１１２、Ｙ信号生成・色検出回路１１３、変倍・リピート回路１１４、輪郭・エッジ強調回路１１５、マーカエリア判定・輪郭生成回路１１６、パターン化・太らせ・マスキング・トリミング回路１１７、画像セレクタ回路１１８、レーザドライバ回路１１９、画像メモリ１２０、コネクタ１２１、ＲＯＭ１２５・ＲＡＭ１２６を有するＣＰＵ回路１２２、操作部１２３、画像データ減少回路１２４、原稿サイズ検知センサ１２７を備えている（上記図１参照）。各部の詳細は上述したので説明を省略する。
【００６５】
次に、図１１〜図１３を用いて、画像形成装置にステイプル機能を有する用紙処理装置や、パンチ穴開け機能を有する装置（上記図２のパンチユニット２５０）が接続される場合の動作について説明する。給紙口の用紙としては、給紙口１にはＢ４、給紙口２にはＡ４、給紙口３にはＡ４、給紙口４にはＡ４の用紙が入っていたとする。今、操作部１２３において各給紙口の用紙の種類を、給紙口１は「普通紙 」、給紙口２は「プレパンチ紙」、給紙口３は「普通紙」、給紙口４は「普通紙」と設定したとする。また、Ａ４サイズの原稿を１００枚コピーするとし、パンチ穴開けを行う設定が操作部１２３にて行われたものとする。
【００６６】
先ず、上記図２に示した原稿給送装置１０１の原稿台トレー上に設けられた原稿検知センサ（図示略）により原稿があるかどうか判断する。この時、原稿台トレー上に原稿がない場合は、原稿台ガラス面１０２の下方に配設されている原稿サイズ検知センサ１２７で検知された原稿台ガラス面１０２上の原稿のサイズを参照する。原稿給紙装装置１０１に原稿がある場合は、原稿給送装置１０１により原稿台ガラス面１０２上へ原稿を給送し、原稿のガイド幅と、原稿を原稿台ガラス面１０２上に搬送した長さとに基づき、原稿サイズを検知する。今、原稿のガイド幅が２９７ｍｍで、原稿を搬送した長さが２１０ｍｍであるので、原稿サイズがＡ４であると検知する（ステップＳ１００１）。
【００６７】
次に、原稿Ａ４サイズに最適な用紙を選択する。給紙口１〜４の用紙サイズがそれぞれＢ４、Ａ４、Ａ４、Ａ４であるので（ステップＳ１００２）、先ず、給紙口２、給紙口３、給紙口４が自動用紙選択の対象となる。この中で実際に用紙があるかどうかをチェックする（ステップＳ１００３）。各給紙口とも用紙が入っているので給紙選択対象とする（ステップＳ１００４）。用紙がなかった場合は、給紙選択対象から除外される（ステップＳ１００５）。
【００６８】
次に、上記各給紙口について上記ステップＳ１００３の確認が終了したか否かを判定し（ステップＳ１００６）、上記確認が終了した場合は、給紙選択対象の給紙口があるか否かを判定する（ステップＳ１００７）。給紙選択対象の給紙口がない場合は、操作部１２３に最適サイズなしを表示し、動作を終了する（ステップＳ１０２６）。
【００６９】
次に、用紙の種類として、給紙口２、給紙口３、給紙口４の用紙の種類をチェックする（ステップＳ１００８）。給紙口２の用紙の種類がプレパンチ紙、給紙口３の用紙の種類が普通紙、給紙口４の用紙の種類が普通紙である。この時、各給紙口の用紙種類が、予め定められている禁止条件と一致するか判断する（ステップＳ１００９）。予め定められている禁止条件とは、ＯＨＰ用紙、第二原図紙、厚紙の用紙種類は選択の対象としないという条件であり、各給紙口はこの禁止条件にいずれも合致しない。従って、各給紙口を給紙選択対象とする（ステップＳ１０１０）。合致した場合は、給紙選択対象から除外される（ステップＳ１０１１）。
【００７０】
次に、上記各給紙口について上記ステップＳ１００９の禁止条件との一致の有無を調べる処理が終了したか否かを判定し（ステップＳ１０１２）、上記処理が終了した場合は、給紙対象の給紙口があるか否かを判定する（ステップＳ１０１３）。ここで、もし選択対象の給紙口がない場合は、操作部１２３に最適サイズなしを表示し、動作を終了する（ステップＳ１０２６）。そして、この場合、パンチ穴開けを行う設定であるため（ステップＳ１０１４でＮＯ）、プレパンチ紙は、もともと穴が開いていることから、給紙口２を給紙対象から除外する（ステップＳ１０１６）。
【００７１】
従って、給紙口３、給紙口４を給紙対象の給紙口とする（ステップＳ１０１５）。次に、上記各給紙口について上記ステップＳ１０１４の判定が終了したか否かを判定し（ステップＳ１０１７）、上記判定が終了した場合は、給紙対象の給紙口があるか否かを判定する（ステップＳ１０１８）。ここで、もし選択対象の給紙口がない場合は、操作部１２３に最適サイズなしを表示し、動作を終了する（ステップＳ１０２６）。
【００７２】
次に、各給紙口の用紙の種類に設定された優先順位をチェックする（ステップＳ１０１９）。今、給紙口３が普通紙であるため優先順位１、給紙口４が普通紙であるため優先順位１である。この中で優先順位が一番高い給紙口は、給紙口３、給紙口４である。この給紙口３、給紙口４の中で給紙口３の方が、上記図２に示したように搬送パスが短いため、最適な給紙口として給紙口３を選出し（ステップＳ１０２０）、コピーを開始する（ステップＳ１０２１）。この時、ＣＰＵ回路部１２２は、使用すべき給紙口、用紙サイズ、用紙種類はそれぞれ給紙口３、Ａ４サイズ、普通紙としてＲＡＭ１２６に記憶する。
【００７３】
給紙口３からコピーを開始し、給紙口３から２０枚出力する。２０枚出力後、給紙口には用紙がなくなったため（ステップＳ１０２３でＮＯ）、他の給紙口で給紙できる給紙口がないか探す（ステップＳ１０２４）。Ａ４サイズで用紙の入っている給紙口は給紙口４である。この時、給紙口４の用紙の種類は普通紙であり、現在給紙している用紙の種類は普通紙であるので、給紙口４を選択し（ステップＳ１０２５）、給紙を続ける。給紙口４から５０枚出力後、給紙口４も用紙がなくなる。
【００７４】
次に、Ａ４サイズの用紙を給紙できる残りの給紙口は２である。現在給紙している用紙種類は普通紙であるので、給紙口２の用紙種類とは合致しない。この給紙口２の用紙種類はプレパンチ紙であり、現在パンチ穴開けを行うモードであるため、操作部１２３で設定された“異なる用紙タイプへのオートカセットチェンジ  スイッチ”をチェックせず、給紙動作を止め操作部１２３に用紙がなくなった旨のメッセージを表示する。
【００７５】
このように、例えば、ある種類の、あるサイズの用紙（この例では、Ａ４サイズの普通紙）を用いて画像形成している最中に上記用紙の紙無しが発生した場合（または、画像形成開始時に、既に、当該種類の用紙が無い状態の場合）において、上記用紙とは種類は異なるが、同一サイズの、代替用の用紙としての候補が存在する場合に、当該候補の用紙の種類（この例では、Ａ４サイズのプレパンチ紙）及び、ユーザにより操作部にて設定された動作モード（この例では、パンチ処理モード）に応じて、「異なる用紙タイプへのオートカセットチェンジ  スイッチ」によって代替出力処理指示が設定されているか否かに無関係に、上述のような用紙の代替出力処理を禁止するよう制御する。
【００７６】
また、上述の例では、パンチ処理モードが設定されている場合について、プレパンチ紙を選択することを禁止する場合の例について説明したが、これに限らず、例えば、動作モードとして、ステイプルモードがユーザにより設定された場合等も、プレパンチ紙を選択使用することは禁止するよう制御する。
【００７７】
また、逆に、予め設定されている用紙の種類毎の優先順位に関して、例えば、優先順位の最も高い、使用すべき用紙の種類が「プレパンチ紙」である場合は、予め用紙加工処理が施されているため、ステイプル処理やパンチ処理等の用紙加工処理を実行することを禁止して、ユーザが当該モードを選択できないように、操作画面上の該当する機能ボタンを網掛け表示したりして無効状態にするような構成でも本形態を適用できる。
【００７８】
以上説明したように、本発明の第２の実施の形態によれば、原稿を走査し画像データに変換するリーダ部１と、画像データに基づき用紙上に印字を行うプリンタ部２と、用紙を収納し給紙する少なくとも複数の給紙口２１４、２１５、２２５、２２６と、印字が完了した用紙に後処理を行うフィニッシング装置（ステイプル装置、パンチ穴開け装置）とを備えた画像形成装置において、原稿サイズを検知する原稿サイズ検知センサ１２７と、給紙口の用紙の種類や、フィニッシング装置で行うフィニッシングの種類を設定する操作部１２３と、原稿サイズ検知センサ１２７で検知された原稿サイズ、操作部１２３で設定された用紙の種類、フィニッシングの種類に基づき、複数の給紙口から給紙可能な給紙口を選択するＣＰＵ回路１２２とを有するため、上記第１の実施の形態と同様に、用紙の種類を設定することにより、用紙の自動選択や、用紙がなくなった場合の自動給紙口変更を行う場合に、従来機能よりもユーザの希望にそった給紙を行うことが可能となる。更に、コピーモードにより自動用紙選択をモードごとに設定しなおさなければならなかった不具合を解消することが可能となり、コピーモードを気にせず、自動用紙選択でコピーすることができる。
【００７９】
［第３の実施の形態］
上述した第１および第２の実施形態においては、ユーザにより設定された用紙タイプの優先順位に従って給紙口を選択したが、この優先順位に代えて、特定の給紙口を選択するようにしてもよい。即ち、普通紙を給紙する給紙口及び再生紙を給紙する給紙口は予めグループ１と、色紙を給紙する給紙口及び厚紙を給紙する給紙口は予めグループ２として決めておく。
【００８０】
そして、普通紙、再生紙、色紙、及び厚紙のいずれを選択してもよいモード（自動用紙選択１）をユーザが操作部１２３から設定したときは、グループ１及びグループ２に含まれる各給紙口の中から給紙対象の給紙口を給紙選択対象に設定し、普通紙及び再生紙のみから選択するモード（自動用紙選択２）をユーザが操作部１２３から設定したときは、グループ１に含まれる各給紙口の中から給紙対象の給紙口を給紙選択対象に設定するようにしてもよい。
【００８１】
この場合、ＯＨＰ紙、レターヘッド紙、第二原図紙、パンチ紙、及びラベル紙は、上記第１および第２の実施形態で説明した選択禁止条件の用紙タイプとして、給紙口の自動選択時にはこれらの用紙タイプを選択しないものとする。
【００８２】
本発明の第３実施形態に係る画像形成装置は、ハード構成面では第１実施形態と同様であるので説明を省略する。
【００８３】
第３実施形態による給紙口選択処理のフローチャートを図１４〜図１６に示す。ステップＳ１４０１〜Ｓ１４０８は第１及び第２実施形態と同様であるので説明を省略する。ステップＳ１４０８で取得した用紙タイプに基づいて、選択対象給紙口の用紙タイプがＯＨＰ紙、レターヘッド紙、第２原図紙、パンチ紙、ラベル紙のいずれかであるかを判別する（ステップＳ１４０９）。この判別結果が肯定判定のときは、この給紙口を選択対象外とし（ステップＳ１４１１）、否定判定のときは、普通紙、再生紙、色紙、及び厚紙のいずれを選択してもよいモード（自動用紙選択１）が設定されているかを判定する（ステップＳ１４３０）。
【００８４】
ステップＳ１４３０で否定判定、即ち普通紙及び再生紙のみから選択するモード（自動用紙選択２）が設定されている場合には、選択対象給紙口の用紙タイプが色紙、厚紙のいずれかであるかを判別する（ステップＳ１４３１）。ステップＳ１４３１で否定判定のとき、即ち対象給紙口の用紙タイプが普通紙あるいは再生紙のときは、この給紙口を選択対象とする（ステップＳ１４１０）。
【００８５】
また、ステップＳ１４３０で肯定判定、即ち普通紙、再生紙、色紙、及び厚紙のいずれを選択してもよいモード（自動用紙選択１）が設定されている場合には、ステップＳ１４１０へ進み、この給紙口を選択対象とする。また、ステップＳ１４３１で肯定判定、即ち対象給紙口の用紙タイプが色紙あるいは厚紙のときは、ステップＳ１４１１へ進み、この給紙口を選択対象外とする。
【００８６】
以上の処理を全対象給紙口に対して行い（ステップＳ１４１２）、選択可能給紙口がなければ（ステップＳ１４１３）、操作部１２３に第１実施形態及び第２実施形態と同様のメッセージ表示を行う（ステップＳ１４２６）。ステップＳ１４１３で選択可能給紙口があると判定した場合には、選択対象給紙口の中から最も画像形成部に近い給紙口、即ち選択対象給紙口のうち一番上に位置する給紙口を選択して（ステップＳ１４２０）、該給紙口から用紙を給紙することにより、コピー動作（画像形成動作）を開始する（ステップＳ１４２１）。ステップＳ１４２１以降の処理については第２実施形態と同様であるので説明を省略する。
【００８７】
［他の実施の形態］
上述した本発明の第１〜第３の実施の形態においては、用紙の種類を普通紙、再生紙、色紙について述べてきたが、本発明はこの例に限定されるものではない。
【００８８】
また、上述した本発明の第２の実施の形態においては、パンチ穴開けを行うフィニッシングの場合にプレパンチ紙を選択しないことを述べたが、本発明はこの例に限定されるものではなく、ステイプルを行う場合に、不具合を生ずるＯＨＰ紙や、第二原図紙の場合も選択されない。フィニッシングを行う場合に不具合を生じる用紙の種類は選択を行わない。
【００８９】
また、上述した本発明の第１〜第３の実施の形態においては、画像形成装置の印刷方式を電子写真方式としたが、本発明はこの例に限定されるものではなく、インクジェット方式など他の印刷方式を用いてもよい。
【００９０】
また、上述した本発明の第１〜第３の実施の形態においては、画像形成装置単体の場合を例に上げたが、本発明はこの例に限定されるものではなく、画像形成装置と情報処理装置等を接続したシステムに適用してもよい。
【００９１】
尚、本発明は、複数の機器から構成されるシステムに適用しても、１つの機器からなる装置に適用してもよい。上述した実施形態の機能を実現するソフトウエアのプログラムコードを記憶した記憶媒体をシステム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００９２】
この場合、記憶媒体から読み出されたプログラムコード自体が上述した実施形態の機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭ、或いはダウンロードなどを用いることができる。
【００９３】
また、コンピュータが読み出したプログラムコードを実行することにより、上述した実施形態の機能が実現されるだけでなく、そのプログラムコードの指示に基づき、コンピュータ上で稼動しているＯＳなどが実際の処理の一部または全部を行い、その処理によって上述した実施形態の機能が実現される場合も含まれることは言うまでもない。
【００９４】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって上述した実施形態の機能が実現される場合も含まれることは言うまでもない。
【００９５】
また、例えば、ネットワーク上のホストコンピュータのＣＲＴ上に、図５（１）〜（４）の操作画面を表示させ、ホスト側のユーザが、当該操作画面を介して、例えば、各給紙口毎の用紙種類の指定指示、用紙種類毎の優先順位の設定指示、用紙サイズ等の設定指示、及び、異なる用紙タイプヘのオートカセットチェンジの実行可否等の各種の指示を入力可能に構成し、ホスト側にて入力されたこれらの指示データを画像形成装置側に上記ネットワークを介して送信し、これを受けた画像形成装置は上記ホスト側からの指示データに基づいて各種の設定を行い、上述の第１〜第３の実施形態と同様な方法で、最適な給紙選択処理を行い、ホストコンピュータから出力された画像データを用紙上に形成してもよい。
【符号の説明】
【００９６】
１  リーダ部
２  プリンタ部
１２２  ＣＰＵ回路
１２３  操作部
１２６  ＲＡＭ
１２７  原稿サイズ検知センサ
２１４、２１５、２２５、２２６  転写紙積載部
２５０  パンチユニット
【図１】
2011034100.tif 000003
【図２】
2011034100.tif 000004
【図３】
2011034100.tif 000005
【図４】
2011034100.tif 000006
【図５】
2011034100.tif 000007
【図６】
2011034100.tif 000008
【図７】
2011034100.tif 000009
【図８】
2011034100.tif 000010
【図９】
2011034100.tif 000011
【図１０】
2011034100.tif 000012
【図１１】
2011034100.tif 000013
【図１２】
2011034100.tif 000014
【図１３】
2011034100.tif 000015
【図１４】
2011034100.tif 000016
【図１５】
2011034100.tif 000017
【図１６】
2011034100.tif 000018
【図１７】
2011034100.tif 000019
【図１８】
2011034100.tif 000020